(57)【特許請求の範囲】
【請求項１】
各種光学部材を切換え可能にし、各種の観察法による標本の観察を可能にした顕微鏡装置において、
前記観察法に応じたランプ光源と、
前記ランプ光源の光量を制御するランプ制御手段を有したコントロール部と、
前記顕微鏡装置が前記標本の観察状態であるかを判別する観察状態判別手段と、を具備し、
前記観察状態判別手段は、一定時間観察状態でないと判別した場合に、前記ランプ光源の光量を記録し、前記コントロール部に前記ランプ制御手段により前記ランプ光源の光量を下げさせ、
その後、前記観察状態判別手段が観察状態と判別した場合に、前記コントロール部に前記ランプ制御手段により前記ランプ光源の光量を前記観察状態判別手段が記録した光量に変更させる、
ことを特徴とする顕微鏡装置。
【請求項２】
各種光学部材を切換え可能にし、各種の観察法による標本の観察を可能にした顕微鏡装置において、
前記観察法に応じたランプ光源と、
前記ランプ光源の電圧値を制御するランプ制御手段を有するコントロール部と、
前記顕微鏡装置が前記標本の観察状態であるかを判別する観察状態判別手段と、を具備し、
前記観察状態判別手段は、一定時間観察状態でないと判別した場合に、前記ランプ光源の電圧値を記録し、前記コントロール部に前記ランプ制御手段により前記ランプ光源の電圧値を下げさせ、
その後、前記観察状態判別手段が観察状態と判別した場合に、前記コントロール部に前記ランプ制御手段により前記ランプ光源の電圧値を前記観察状態判別手段が記録した電圧値に変更させる、
ことを特徴とする顕微鏡装置。
【請求項３】
各種光学部材を切換え可能にし、各種の観察法による標本の観察を可能にした顕微鏡装置において、
前記観察法に応じたランプ光源と、
前記ランプ光源の光量を制御するランプ制御手段と前記光学部材の駆動を制御する駆動制御手段とを有するコントロール部と、
前記コントロール部に各種指示を入力する入力指示手段と、
前記顕微鏡装置が前記標本の観察状態であるかを判別する観察状態判別手段と、を具備し、
前記観察状態判別手段は、一定時間前記入力指示手段が操作されず観察状態でないと判別した場合に、前記ランプ光源の光量を記録し、前記コントロール部に前記ランプ制御手段により前記ランプ光源の光量を下げさせ、
その後、前記入力指示手段が操作され観察状態と判別した場合に、前記コントロール部に前記ランプ制御手段により前記ランプ光源の光量を前記観察状態判別手段が記録した光量に変更させる、
ことを特徴とする顕微鏡装置。
【請求項４】
各種光学部材を切換え可能にし、各種の観察法による標本の観察を可能にした顕微鏡装置において、
前記観察法に応じたランプ光源と、
前記ランプ光源の電圧値を制御するランプ制御手段と前記光学部材の駆動を制御する駆動制御手段とを有するコントロール部と、
前記コントロール部に各種指示を入力する入力指示手段と、
前記顕微鏡装置が前記標本の観察状態であるかを判別する観察状態判別手段と、を具備し、
前記観察状態判別手段は、一定時間前記入力指示手段が操作されず観察状態でないと判別した場合に、前記ランプ光源の電圧値を記録し、前記コントロール部に前記ランプ制御手段により前記ランプ光源の電圧値を下げさせ、
その後、前記入力指示手段が操作され観察状態と判別した場合に、前記コントロール部は前記ランプ制御手段により前記ランプ光源の電圧値を前記観察状態判別手段が記録した電圧値に変更する、
ことを特徴とする顕微鏡装置。
【請求項５】
前記標本に対する前記ランプ光源からの光束の光軸方向の座標を検出する座標検出手段をさらに有し、
前記観察状態判別手段はさらに、前記座標検出手段の検出結果より前記顕微鏡装置が標本の観察状態であるかを判別する、
ことを特徴とする請求項１から請求項４のうち何れか１項に記載の顕微鏡装置。
【請求項６】
前記各種光学部材の動作状態を検出する動作状態検出手段をさらに有し、
前記観察状態判別手段はさらに、前記動作状態検出手段の検出結果より前記顕微鏡装置が標本の観察状態であるかを判別する、
ことを特徴とする請求項１から請求項４のうち何れか１項に記載の顕微鏡装置。
【請求項７】
前記標本を載置するステージと、前記ステージの水平方向の位置座標を検出する水平座標検出手段と、をさらに有し、
前記観察状態判別手段はさらに、前記水平座標検出手段の検出結果より前記顕微鏡装置が標本の観察状態であるかを判別する、
ことを特徴とする請求項１から請求項４のうち何れか１項に記載の顕微鏡装置。
【請求項８】
標本の合焦状態を検出する合焦検出手段をさらに有し、
前記観察状態判別手段はさらに、前記合焦検出手段の合焦情報により前記顕微鏡装置が標本の観察状態であるかを判別する、
ことを特徴とする請求項１から請求項４のうち何れか１項に記載の顕微鏡装置。
【請求項９】
前記顕微鏡装置は、前記各種光学部材の駆動を行う駆動源のモータを駆動する為の駆動回路部を有していて、
前記コントロール部は、前記観察状態判別手段が一定時間観察状態でないと判別した場合に、前記駆動回路部の前記モータの停止状態での励磁電流を下げる、ことを特徴とする請求項１から請求項４のうち何れか１項に記載の顕微鏡装置。
【請求項１０】
観察法に応じたランプ光源を備え、各種光学部材を切換え可能にし、各種の観察法による標本の観察を可能にした顕微鏡装置を用いた観察方法において、
前記顕微鏡装置が前記標本の観察状態であるか判別する工程と、
一定時間観察状態でないと判別した場合に、前記ランプ光源の光量を記録した後に前記ランプ光源の光量を下げる工程と、
前記顕微鏡装置が前記標本の観察状態であると判別した場合に、前記ランプ光源の光量を前記記録した光量に変更する工程と、
を備えたことを特徴とする観察方法。
【請求項１１】
観察法に応じたランプ光源を備え、各種光学部材を切換え可能にし、各種の観察法による標本の観察を可能にした顕微鏡装置を用いた観察方法において、
前記顕微鏡装置が前記標本の観察状態であるか判別する工程と、
一定時間観察状態でないと判別した場合に、前記ランプ光源の電圧値を記録した後に前記ランプ光源の電圧値を下げる工程と、
前記顕微鏡装置が前記標本の観察状態であると判別した場合に、前記ランプ光源の電圧値を前記記録した電圧値に変更する工程と、
を備えたことを特徴とする観察方法。
【請求項１２】
観察法に応じたランプ光源を備え、各種光学部材を切換え可能にし、各種の観察法による標本の観察を可能にした顕微鏡装置を用いた観察方法において、
前記顕微鏡装置が前記標本の観察状態であるか判別する工程と、
一定時間前記ランプ光源の光量又は前記光学部材の駆動が制御されず観察状態でないと判別した場合に、前記ランプ光源の光量を記録した後に前記ランプ光源の光量を下げる工程と、
その後、前記ランプ光源の光量又は前記光学部材の駆動が制御され観察状態であると判別した場合に、前記ランプ光源の光量を前記記録した光量に変更する工程と、
を備えたことを特徴とする観察方法。
【請求項１３】
観察法に応じたランプ光源を備え、各種光学部材を切換え可能にし、各種の観察法による標本の観察を可能にした顕微鏡装置を用いた観察方法において、
前記顕微鏡装置が前記標本の観察状態であるか判別する工程と、
一定時間前記ランプ光源の電圧値又は前記光学部材を駆動が制御されず観察状態でないと判別した場合に、前記ランプ光源の電圧値を記録した後に前記ランプ光源の電圧値を下げる工程と、
その後、前記ランプ光源の電圧値又は前記光学部材の駆動が制御され観察状態であると判別した場合に、前記ランプ光源の電圧値を前記記録した電圧値に変更する工程と、
を備えたことを特徴とする観察方法。
【発明の詳細な説明】
【０００１】
【発明の属する技術分野】
本発明は、各種の観察法を電動切換え可能にした顕微鏡装置及びこの顕微鏡装置を使用した観察方法に関するものである。
【０００２】
【従来の技術】
周知のように、生物分野における研究をはじめ各種工業分野の検査工程などの分野では、微細な標本の拡大観察を行う顕微鏡装置が幅広く利用されている。
【０００３】
また、これらの顕微鏡装置には、対物レンズの倍率や種類を変更したり、照明法を変更することにより、各種の観察法、例えば、明視野、暗視野、蛍光、微分干渉、偏光などの観察法を切換え可能にした構成のものがあり、これらの観察法を標本の種類、特性などに応じて最適な方法に切り換えて使用している。
【０００４】
ところで、これら対物レンズによる観察倍率の切り換えや各種観察法の切り換えは、通常、ユーザーがハンドスイッチ等の入力装置より切り換えスイッチを操作することでモータを励磁し、ランプ光源や各光学部材の切換えを駆動するようにしている。
【０００５】
ところが、これらランプ光源や各光学部材の切換に用いられるモータの停止状態での励磁による消費電力は、決して少ないものでないため、できるだけ無駄な消費電力を省くためにも、必要以外では、停止状態にあるモータの励磁を極力抑制することが望ましい。また、ランプ光源についても、常時点灯したままにするのでは、ランプ寿命を縮めるだけでなく、消費電力を増加させる原因にもなるため、ランプ光源の点灯期間もできるだけ制限するのが望ましい。
【０００６】
このような無駄な消費電力を抑制する考えのものとして、特開平１０−２４３３８５号公報に開示されようなビデオマイクロスロープにおいて、映像信号から観察対象の像が合焦状態にあるか否かの判別または輝度状態を判別する合焦判別手段または操作部の使用状態から使用状況化にあるか否かを判断する操作監視手段の判断結果に応じて光源の減光または消灯するものがある。
【０００７】
【発明が解決しようとする課題】
しかしながら、このような合焦判別手段や操作監視手段の判断結果に応じて光源の減光または消灯するような考えは、ビデオマイクロスロープにおいては効果的であるが、上述したような顕微鏡装置において、合焦判別手段や操作監視手段での判断結果のみに限られると、実際の標本観察の間は、ほとんどユーザーの判断によりランプ光源の消灯や不必要なモータ励磁を中止するための操作を行わなければなず、これらの操作が煩わしく、実際には、消費電力の節減のための操作が行われていないのが現状であった。
【０００８】
本発明は、上記事情に鑑みてなされたもので、消費電力の低減と、光源ランプの長寿命化を図ることができる顕微鏡装置を提供することを目的とする。
【０００９】
【課題を解決するための手段】
請求項１記載の発明は、各種光学部材を切換え可能にし、各種の観察法による標本の観察を可能にした顕微鏡装置において、前記観察法に応じたランプ光源と、前記ランプ光源の光量を制御するランプ制御手段を有したコントロール部と、前記顕微鏡装置が前記標本の観察状態であるかを判別する観察状態判別手段と、を具備し、前記観察状態判別手段は、一定時間観察状態でないと判別した場合に、前記ランプ光源の光量を記録し、前記コントロール部に前記ランプ制御手段により前記ランプ光源の光量を下げさせ、その後、前記観察状態判別手段が観察状態と判別した場合に、前記コントロール部に前記ランプ制御手段により前記ランプ光源の光量を前記観察状態判別手段が記録した光量に変更させる、ことを特徴としている。
請求項２記載の発明は、各種光学部材を切換え可能にし、各種の観察法による標本の観察を可能にした顕微鏡装置において、前記観察法に応じたランプ光源と、前記ランプ光源の電圧値を制御するランプ制御手段を有するコントロール部と、前記顕微鏡装置が前記標本の観察状態であるかを判別する観察状態判別手段と、を具備し、前記観察状態判別手段は、一定時間観察状態でないと判別した場合に、前記ランプ光源の電圧値を記録し、前記コントロール部に前記ランプ制御手段により前記ランプ光源の電圧値を下げさせ、その後、前記観察状態判別手段が観察状態と判別した場合に、前記コントロール部に前記ランプ制御手段により前記ランプ光源の電圧値を前記観察状態判別手段が記録した電圧値に変更させる、ことを特徴としている。
【００１０】
請求項３記載の発明は、各種光学部材を切換え可能にし、各種の観察法による標本の観察を可能にした顕微鏡装置において、前記観察法に応じたランプ光源と、前記ランプ光源の光量を制御するランプ制御手段と前記光学部材の駆動を制御する駆動制御手段とを有するコントロール部と、前記コントロール部に各種指示を入力する入力指示手段と、前記顕微鏡装置が前記標本の観察状態であるかを判別する観察状態判別手段と、を具備し、前記観察状態判別手段は、一定時間前記入力指示手段が操作されず観察状態でないと判断した場合に、前記ランプ光源の光量を記録し、前記コントロール部に前記ランプ制御手段により前記ランプ光源の光量を下げさせ、その後、前記入力指示手段が操作され観察状態と判別した場合に、前記コントロール部に前記ランプ制御手段により前記ランプ光源の光量を前記観察状態判別手段が記録した光量に変更させる、ことを特徴としている。
請求項４記載の発明は、各種光学部材を切換え可能にし、各種の観察法による標本の観察を可能にした顕微鏡装置において、前記観察法に応じたランプ光源と、前記ランプ光源の光量を制御するランプ制御手段と前記光学部材の駆動を制御する駆動制御手段とを有するコントロール部と、前記コントロール部に各種指示を入力する入力指示手段と、前記顕微鏡装置が前記標本の観察状態であるかを判別する観察状態判別手段と、を具備し、前記観察状態判別手段は、一定時間前記入力指示手段が操作されず観察状態でないと判断した場合に、前記ランプ光源の電圧値を記録し、前記コントロール部に前記ランプ制御手段により前記ランプ光源の光量を下げさせ、その後、前記入力指示手段が操作され観察状態と判別した場合に、前記コントロール部に前記ランプ制御手段により前記ランプ光源の電圧値を前記観察状態判別手段が記録した電圧値に変更させる、ことを特徴としている。
【００１１】
請求項１０記載の発明は、観察法に応じたランプ光源を備え、各種光学部材を切換え可能にし、各種の観察法による標本の観察を可能にした顕微鏡装置を用いた観察方法において、前記顕微鏡装置が前記標本の観察状態であるか判別する工程と、一定時間観察状態でないと判別した場合に、前記ランプ光源の光量を記録した後に前記ランプ光源の光量を下げる工程と、前記顕微鏡装置が前記標本の観察状態であると判別した場合に、前記ランプ光源の光量を前記記録した光量に変更する工程と、を備えたことを特徴としている。
請求項１１記載の発明は、観察法に応じたランプ光源を備え、各種光学部材を切換え可能にし、各種の観察法による標本の観察を可能にした顕微鏡装置を用いた観察方法において、前記顕微鏡装置が前記標本の観察状態であるか判別する工程と、一定時間観察状態でないと判別した場合に、前記ランプ光源の電圧値を記録した後に前記ランプ光源の電圧値を下げる工程と、前記顕微鏡装置が前記標本の観察状態であると判別した場合に、前記ランプ光源の電圧値を前記記録した電圧値に変更する工程と、を備えたことを特徴としている。
【００１２】
請求項１２記載の発明は、観察法に応じたランプ光源を備え、各種光学部材を切換え可能にし、各種の観察法による標本の観察を可能にした顕微鏡装置を用いた観察方法において、前記顕微鏡装置が前記標本の観察状態であるか判別する工程と、一定時間前記ランプ光源の光量又は前記光学部材の駆動が制御されず観察状態でないと判別した場合に、前記ランプ光源の光量を記録した後に前記ランプ光源の光量を下げる工程と、その後、前記ランプ光源の光量又は前記光学部材の駆動が制御され観察状態であると判別した場合に、前記ランプ光源の光量を前記記録した光量に変更する工程と、を備えたことを特徴としている。
請求項１３記載の発明は、観察法に応じたランプ光源を備え、各種光学部材を切換え可能にし、各種の観察法による標本の観察を可能にした顕微鏡装置を用いた観察方法において、前記顕微鏡装置が前記標本の観察状態であるか判別する工程と、一定時間前記ランプ光源の電圧値又は前記光学部材を駆動が制御されず観察状態でないと判別した場合に、前記ランプ光源の電圧値を記録した後に前記ランプ光源の電圧値を下げる工程と、その後、前記ランプ光源の電圧値又は前記光学部材の駆動が制御され観察状態であると判別した場合に、前記ランプ光源の電圧値を前記記録した電圧値に変更する工程と、を備えたことを特徴としている。
【００１３】
この結果、本発明によれば、顕微鏡装置が標本観察状態にない場合は、ランプ光源の電圧を下げるように制御できるので、無駄なランプの点灯を抑制でき、消費電力の低減とランプ寿命の延長を実現することができる。
【００１４】
【発明の実施の形態】
以下、本発明の実施の形態を図面に従い説明する。
【００１５】
(第１の実施の形態)
図１は、本発明が適用される顕微鏡装置の概略構成を示している。
【００１６】
図において、１は顕微鏡本体で、この顕微鏡本体１は、各種の観察法を切換え可能にしたものである。この顕微鏡本体１は、各光学部材の駆動を行う駆動制御手段とランプ光源の電圧を制御するランプ制御手段を有する顕微鏡コントロール部７を有している。
【００１７】
顕微鏡コントロール部７には、入力指示手段としてハンドスイッチ２が接続されている。このハンドスイッチ２は、対物切換え、明視野、暗視野の切換え、開口絞りの開閉、シャッタの開閉、フィルタの選択、ランプ光源電圧の可変などの各種指示を入力するための複数のスイッチ３およびステージ移動量の指示するＪＯＧダイヤルスイッチ４を有している。この場合、複数のスイッチ３には、状態表示用のＬＥＤが内蔵されている。
【００１８】
また、顕微鏡コントロール部７には、観察状態判別手段としての観察状態判別部８が接続され、観察状態判別部８には、観察標本の有無を検出する標本検出手段としての標本有無センサ５が接続されている。標本有無センサ５は、後述するステージ１８上に標本６が有るか無いかを判別するもので、ここでは、透過型フォトインタラプタにより構成され、標本６が有る場合は、センサの光を遮るようになっており、標本６が無い場合は電気信号“Ｈ”を、標本６が有る場合は電気信号“Ｌ”を出力するようになっている。また、観察状態判別部８は、顕微鏡コントロール部７からの現在の光学部材の位置情報、ハンドスイッチ２の入力情報および標本有無センサ５の出力によるステージ１８上の標本６の有無情報などから、現在、標本観察状態であるかを判別するようになっている。
【００１９】
一方、顕微鏡本体１には、光源ランプとして透過観察用光学系のハロゲンランプからなる透過照明用光源１１が設けられ、この透過照明用光源１１から放射される透過照明光の光路上に、この透過照明光を集光するコレクタレンズ１２、透過用フィルタユニット１３、透過視野絞り１４、反射ミラー１４１、透過開口絞り１５、コンデンサ光学素子ユニット１６、及びコンデンサトップレンズユニット１７が配置され、透過照明光をステージ１８の下方から照射するようにしている。
【００２０】
ここで、透過用フィルタユニット１３は、透過照明用光源１１の色温度を変えずに明るさの調整を行う複数枚のＮＤフィルタと色補正を行うための補正フィルタからなり、任意のフィルタを光路上に挿脱可能にしている。コンデンサ光学素子ユニット１６は、光路中に挿脱される複数のコンデンサ光学素子ユニット１６ａ〜１６ｃを有し、コンデンサトップレンズユニット１７も光路中に挿脱される複数のコンデンサトップレンズユニット１７ａ、１７ｂを有している。
【００２１】
また、顕微鏡本体１には、他の光源ランプとして落射観察用光学系の水銀ランプからなる落射照明用光源２２が設けられ、この落射照明用光源２２から放射される落射照明光の光路上に、落射用フィルタユニット２３、落射シャッタ２４、落射視野絞り２５および落射開口絞り２６が配置され、落射照明光を後述するキューブユニット２０、対物レンズ１９を介してステージ１８の上方から照射するようにしている。
【００２２】
ここで、落射用フィルタユニット２３は、落射照明用光源２２の色温度を変えずに明るさの調整を行う複数枚のＮＤフィルタと色補正を行うための補正フィルタからなり、任意のフィルタを光路上に挿脱可能にしている。
【００２３】
これら透過観察用光学系と落射観察用光学系の各光軸が重なる観察光路上には、種検鏡法に応じて光路上のダイクロイックミラー２０ａ〜２０ｃを切換えるキューブユニット２０、対物レンズ１９およびステージ１８が配置されている。対物レンズ１９は、倍率の異なる複数個の対物レンズ１９ａ、１９ｂ、１９ｃからなり、これら対物レンズ１９ａ、１９ｂ、１９ｃは、レボルバ１９１に装着され、その回転により観察光路上に選択的に挿入可能になっている。ステージ１８は、標本６を載置するもので、観察光路と直交する平面内で標本６を２次元移動できるとともに、ピント合わせのため観察光路方向に沿って移動可能になっている。また、観察光路上には、この観察光路を接眼レンズ側と撮影光路に分岐するビームスプリッタ２１が配置されている。
【００２４】
この場合、透過用フィルタユニット１３、透過視野絞り１４、コンデンサ光学素子ユニット１６、コンデンサトップレンズユニット１７、ステージ１８、レボルバ１９１、キューブユニット２０、落射用フィルタユニット２３、落射シャッタ２４、落射視野絞り２５および落射開口絞り２６は、それぞれ電動化されており、駆動回路部２７により駆動可能となっている。この場合、駆動回路部２７は、それぞれ電動化されたユニットの駆動源である図示しないモータを励磁して駆動するための回路を有している。
【００２５】
このように構成した顕微鏡本体１は、顕微鏡コントロール部７により全体動作を制御されるようになっている。顕微鏡コントロール部７には、上述したハンドスイッチ２および観察状態判別部８とともに、透過照明用光源１１、落射照明用光源２２および駆動回路部２７が接続され、ハンドスイッチ２からの観察倍率の切換や調光あるいは観察法の切換えなどの操作により駆動回路部２７への制御指示、透過照明用光源１１、落射照明用光源２２の調光制御を行うとともに、観察状態判別部８に対して現在の顕微鏡本体１の状態を与える機能を有している。まだ同時に、観察状態判別部８からの指示によっても、駆動回路部２７への制御指示、透過照明用光源１１、落射照明用光源２２の調光制御を行う機能も有している。
【００２６】
次に、このように構成された実施の形態の動作を図２に示すフローチャートにより説明する。
【００２７】
まず、パワーフラグを１に設定する(ステップ２０１)。ここでパワーフラグは、観察状態によって透過照明用光源１１または落射照明用光源２２（以下、これら透過照明用光源１１および落射照明用光源２２をまとめてランプ光源と称する。）の電圧を所定電圧Ｖｍに下げている状態かを示すもので、電源投入時はＶｍに下げられていない状態、すなわち、パワーフラグ＝１の状態となっている。
【００２８】
この状態で、いま、ステージ１８に標本６が固定されている場合は、標本有無センサ５は、電気信号“Ｌ"を出力する。これにより、観察状態判別部８は、ステージ１８上に標本６が有ると判別するので（ステップ２０２、２０３）、標本観察状態であると判別し、ランプ光源の電圧制御は行わずに通常動作となる（ステップ２０４）。
【００２９】
一方、ステージ１８から標本６が外されている場合は、標本有無センサ５は、電気信号“Ｈ”を出力する。これにより、観察状態判別部８は、ステージ１８上に標本６が無いと判断するので（ステップ２０２、２０３）、標本観察状態でないと判別する。
【００３０】
この状態で、ある一定時間Ｔ１の時間のカウントを行う（ステップ２０５）。
この間にステージ１８上に標本６がセットされたか判断し(ステップ２０６)、ステージ１８上に標本６がセットされた場合は、ステップ２０２に戻って、上述したと同様な動作を繰り返す。一方、ステージ１８上に標本６がセットされないままの場合は、ハンドスイッチ２により入力指示があったかを判断し(ステップ２０７)、入力指示があった場合は、その指示に対応した動作を実行した後、再びステップ２０５に戻って、始めから一定時間Ｔ１のカウントを行う。
【００３１】
このような動作を一定時間Ｔ１が経過するまで行い(ステップ２０８)、この間にステージ１８上への標本６のセットやハンドスイッチ２からの入力指示がない場合は、観察状態判別部８は、顕微鏡コントロール部７より現在のランプ光源の電圧の情報を入手し、この電圧の値を記録する（ステップ２０９）。ここで、現在のランプ光源の電圧をＶｇとすると、この電圧値Ｖｇが記録される。具体的には、現在のランプ光源の電圧値Ｖｇが９Ｖであったとすると、この電圧値Ｖｇ（＝９Ｖ）が記録される。
【００３２】
次に、観察状態判別部８は、顕微鏡コントロール部７にランプ光源の電圧をＶｍに下げる指示を与える(ステップ２１０)。この電圧値Ｖｍは、標本観察状態でないときに設定するランプ光源の電圧の値であり、本実施の形態では、Ｖｍを１Ｖの固定値としている。
【００３３】
これにより顕微鏡コントロール部７は、ランプ光源の電圧を１Ｖに下げる制御を行う。そして、ランプ光源の電圧を１Ｖに下げた後は、ランプ光源の電圧がＶｍに下げられて状態であるスタンバイモードとし、そのフラグであるパワーフラグを０、つまりパワーフラグ＝０にする(ステップ２１１)。
【００３４】
この後は、ステップ２０２を介してステップ２１２に進み、標本６がステージ１８上にセットされたか判断する。ここで、標本６がステージ１８上にセットされない場合は、再度ハンドスイッチ２による入力指示があったかを判断する(ステップ２１３)。
【００３５】
この状態から、標本６がステージ１８上にセットされた場合は、ステップ２１４に進む。また、ハンドスイッチ２による入力指示があった場合は、その指示に対応した動作を実行した後に、ステップ２１４に進む。
【００３６】
すると、観察状態判別部８は、先に記録した電圧値Ｖｇ（＝９Ｖ）の値を読み出し、顕微鏡コントロール部７に対して、ランプ光源の電圧をＶｍ（＝１Ｖ）に下げる前の電圧値Ｖｇ（＝９Ｖ）に変更するような指示を与える(ステップ２１５)。これを受けて顕微鏡コントロール部７は、ランプ光源の電圧がＶｇ（＝９Ｖ）になるような制御を行う。また同時にスタンバイモードを解除し、そのフラグであるパワーフラグを１、つまりパワーフラグ＝１にする(ステップ２１６)。
【００３７】
従って、このようにすれば、ステージ１８上から標本６を外してから一定時間を越えるまでに標本６がセットされるか、ハンドスイッチ２による顕微鏡操作が行われないと、自動的にランプ光源の電圧が低下され、この一定時間までに、標本６がセットされ、またはハンドスイッチ２による顕微鏡操作が行われると、ランプ光源の電圧を下げる直前の電圧に自動的に戻るようになる。これにより、ユーザーがいちいち操作することなく、自動的に無駄なランプの点灯をおさえることが可能となり、消費電力の低減とランプ寿命の延長を実現することができる。
【００３８】
なお、上述した実施の形態では、ステージ１８に標本６が無いと判断された場合は、ランプ光源の電圧をＶｍと固定値しているが、この電圧値Ｖｍは０Ｖを含むものである。また、電圧値Ｖｍは、現在の電圧であるＶｇの１０％といった変数であってもよい。さらに、待ち時間である一定時間Ｔ１もＴ１＝０ｓｅｃとして、標本６がステージ１８から外されたらすぐにランプ光源の電圧値を下げるような設定としてもよい。さらにまた、ランプ光源の電圧を下げる前に、一度、警告音などを発してから行うようにしてもよい。
【００３９】
(第２の実施の形態)
次に、本発明の第２の実施の形態について説明する。
【００４０】
図３は、第２の実施の形態の概略構成を示すもので、図１と同一部分には、同符号を付している。
【００４１】
この場合、顕微鏡本体１は、座標検出手段として、ステージ１８(標本６)に対するランプ光源からの光束の光軸方向の座標、つまり、Ｚ軸方向の座標を検出するＺ軸座標検出部２８を有している。このＺ軸座標検出部２８は、光軸方向に沿った上下方向の座標を検出できるもので、図示しないが上限センサ、下限センサ、エンコーダおよびエンコーダの出力をカウントするカウンタより構成され、下限センサが検出するステージ１８の下限位置を基点として、ステージ１８の上方向への移動にともなうエンコーダの出力をカウントすることによってＺ軸座標を検出できる構成となっている。
【００４２】
図４は、ステージ１８の光軸方向のＺ軸座標の位置関係を示すものである。この場合、ステージ１８は、上限センサによる上限ａから下限センサによる下限ｂの範囲で駆動できるようになっており、これら上限ａと下限ｂの間に、ステージ１８の動作範囲Ｗ、通常の標本６の観察を行う範囲Ｗ１が存在している。
【００４３】
従って、Ｚ軸座標検出部２８が、通常の標本６の観察を行う範囲Ｗ１の座標を検出している場合、観察状態判別部８は、標本観察状態を判別し、それ以外の場合は、標本６の交換、対物の交換等で、ステージ１８を退避されている状態で、標本観察状態ではないと判別するようになっている。この場合、範囲Ｗ１は、標本６の厚さなどによって変化するので、任意に設定できるものとなっている。
【００４４】
次に、このように構成された実施の形態の動作を図５に示すフローチャートにより説明する。
【００４５】
この場合、ステップ５０１、ステップ５０２は、上述した図２のステップ２０１、２０２と同様であり、ステップ５０３で、Ｚ軸座標検出部２８の検出結果よりステージ１８のＺ軸座標がＷ１の範囲の場合、観察状態判別部８は、標本観察状態であると判別し、ランプ光源（透過照明用光源１１および落射照明用光源２２）の電圧制御は行わずに通常動作となる（ステップ５０４）。
【００４６】
一方、標本や対物交換等でステージ１８のＺ軸座標がＷ１の範囲から外れている場合は、観察状態判別部８は、ステージ退避状態、すなわち標本観察状態でないと判断する。
【００４７】
この状態で、ある一定時間Ｔ１の時間のカウントを行う（ステップ５０５）。この間にステージ１８がＷ１の範囲に移動されたかを判断し(ステップ５０６)、ステージ１８がＷ１の範囲に移動された場合は、ステップ５０２に戻って、上述したと同様な動作を繰り返す。一方、ステージ１８がＷ１の範囲から外れたままの場合は、ハンドスイッチ２により入力指示があったかを判断し(ステップ５０７)、入力指示があった場合は、その指示に対応した動作を実行した後、再びステップ５０５に戻って、始めから一定時間Ｔ１のカウントを行う。
【００４８】
このような動作を一定時間Ｔ１が経過するまで行い(ステップ５０８)、この間にステージ１８のＷ１の範囲への移動やハンドスイッチ２からの入力指示がない場合は、上述した図２のステップ２０９、２１０、２１１と同様なステップ５０９、５１０、５１１の動作を実行し、現在のランプ光源の電圧値Ｖｇ（＝９Ｖ）を記録するとともに、このランプ光源の電圧を所定電圧Ｖｍ（＝１Ｖ）まで下げた後、パワーフラグ＝０とする。
【００４９】
この後は、ステップ５０２を介してステップ５１２に進み、ステージ１８がＷ１の範囲に移動されたかを判断する。ここで、ステージ１８がＷ１の範囲から外れたままの場合は、再度ハンドスイッチ２による入力指示があったかを判断する(ステップ５１３)。
【００５０】
この状態で、ステージ１８がＷ１の範囲に移動された場合は、ステップ５１４に進み、また、ハンドスイッチ２による入力指示があった場合は、その指示に対応した動作を実行した後に、ステップ５１４以降に進む。このステップ５１４以降のステップ５１５、５１６の動作は、上述した図２のステップ２１４、２１５、２１６と同様に、先に記録した電圧値Ｖｇ（＝９Ｖ）を読み出し、ランプ光源の電圧をＶｍ（＝１Ｖ）からＶｇ（＝９Ｖ）に変更するとともに、パワーフラグ＝１とする。
【００５１】
従って、このようにすれば、標本６の交換等でステージ１８を退避させてから一定時間を越えるまでに、ステージ１８を所定範囲内に戻すか、ハンドスイッチ２による顕微鏡操作が行われないと、自動的にランプ光源の電圧が低下され、この一定時間までに、ステージ１８が所定範囲内に戻され、またはハンドスイッチ２による顕微鏡操作が行われると、ランプ光源の電圧を下げる直前の電圧に自動的に戻るようになるので、上述したと同様な効果を期待することができる。
【００５２】
なお、上述した実施の形態では、標本６が観察状態でないと判断されるステージ１８の範囲Ｗ１を固定値としているが、対物レンズ等の情報に応じて可変値としてもよい。
【００５３】
(第３の実施の形態)
次に、本発明の第３の実施の形態について説明する。
【００５４】
図６は、第３の実施の形態の概略構成を示すもので、図１と同一部分には、同符号を付している。
【００５５】
この場合、観察状態判別部８は、顕微鏡コントロール部７による現在の観察法に応じて切換えられた各種光学部材の動作状態を検出する動作状態検出手段８１を有し、この動作状態検出手段８１の検出結果により標本観察状態であるか否かを判別するようになっている。ここでは、動作状態検出手段８１は、顕微鏡コントロール部７により制御され落射照明用光源２２からの光束を遮断可能にする落射シャッタ２４の動作状態に基づいて標本観察状態であるか否かを判別するようにしている。
【００５６】
次に、このように構成された実施の形態の動作を図７に示すフローチャートにより説明する。
【００５７】
この場合も、ステップ７０１、ステップ７０２は、上述した図２のステップ２０１、２０２と同様であり、ステップ７０３で、ハンドスイッチ２の入力指示に従って顕微鏡コントロール部７により落射シャッタ２４が開状態に制御されると、動作状態検出手段８１の状態検出結果により観察状態判別部８は、標本観察状態であると判別し、ランプ光源の電圧制御は行わずに通常動作となる（ステップ７０４）。
【００５８】
一方、ハンドスイッチ２の入力指示に従って顕微鏡コントロール部７により落射シャッタ２４が閉状態に制御されると、観察状態判別部８は、標本観察状態でないと判断する。
【００５９】
この状態で、ある一定時間Ｔ１の時間のカウントを行う（ステップ７０５）。この間にハンドスイッチ２の入力指示により落射シャッタ２４が開状態になったかを判断し(ステップ７０６)、落射シャッタ２４が開状態になれば、ステップ７０２に戻って、上述したと同様な動作を繰り返す。一方、落射シャッタ２４が閉状態のままの場合は、ハンドスイッチ２により入力指示があったかを判断し(ステップ７０７)、入力指示があった場合は、その指示に対応した動作を実行した後、再びステップ７０５に戻って、始めから一定時間Ｔ１のカウントを行う。
【００６０】
このような動作を一定時間Ｔ１が経過するまで行い(ステップ７０８)、この間に落射シャッタ２４の開状態への移行やハンドスイッチ２からの入力指示がない場合は、上述した図２のステップ２０９、２１０、２１１と同様なステップ７０９、７１０、７１１の動作を実行し、現在のランプ光源の電圧値Ｖｇ（＝９Ｖ）を記録するとともに、このランプ光源の電圧を所定電圧Ｖｍ（＝１Ｖ）まで下げた後、パワーフラグ＝０とする。
【００６１】
この後は、ステップ７０２を介してステップ７１２に進み、ハンドスイッチ２の入力指示により落射シャッタ２４が開状態に移行されたかを判断する。ここで、落射シャッタ２４が閉状態のままの場合は、再度ハンドスイッチ２による入力指示があったかを判断する(ステップ７１３)。
【００６２】
この状態で、落射シャッタ２４が開状態に移行された場合は、ステップ７１４に進み、また、ハンドスイッチ２による入力指示があった場合は、その指示に対応した動作を実行した後に、ステップ７１４以降に進む。このステップ７１４以降のステップ７１５、７１６の動作は、上述した図２のステップ２１４、２１５、２１６と同様に、先に記録した電圧値Ｖｇ（＝９Ｖ）を読み出し、ランプ光源の電圧をＶｍ（＝１Ｖ）からＶｇ（＝９Ｖ）に変更するとともに、パワーフラグ＝１とする。
【００６３】
従って、このようにすれば、落射シャッタ２４が閉じ状態になってから一定時間を越えるまでに、落射シャッタ２４を開状態にするか、ハンドスイッチ２による顕微鏡操作が行われないと、自動的にランプ光源の電圧が低下され、この一定時間までに、落射シャッタ２４が開状態に戻され、またはハンドスイッチ２による顕微鏡操作が行われると、ランプ光源の電圧を下げる直前の電圧に自動的に戻るようになるので、上述したと同様な効果を期待することができる。
【００６４】
なお、上述した実施の形態では、落射シャッタ２４の開閉状態に基づいて標本観察状態でないと判断した場合に、ランプ光源の電圧を下げるような制御を行ったが、観察倍率や観察法の切り換えの途中で標本観察状態でない場合、すなわち、光学部材が駆動中であるような場合にも、ランプ光源の電圧を下げるといった制御を行ってもよい。
【００６５】
(第４の実施の形態)
次に、本発明の第４の実施の形態について説明する。
【００６６】
図８は、第４の実施の形態の概略構成を示すもので、図１と同一部分には、同符号を付している。
【００６７】
この場合、顕微鏡本体１は、電動式のステージ１８に対して、このステージ１８の水平方向の位置座標を検出する水平座標検出手段３１を有している。この水平座標検出手段３１は、図９に示すようなＸおよびＹ方向の水平方向に対するステージ１８の位置座標を検出するもので、ステージ１８が原点位置（０，０）Ｓにあるか否かの情報を観察状態判別部８に出力するようにしている。
【００６８】
通常、このような電動式のステージ１８では、標本等の交換時は、原点位置Ｓに移動されるようになっているので、観察状態判別部８では、水平座標検出部３１が原点位置Ｓを検出している場合は標本観察状態でないと判別し、それ以外の場合は、標本観察状態を判別するようにしている。
【００６９】
次に、このように構成された実施の形態の動作を図１０に示すフローチャートにより説明する。
【００７０】
この場合も、ステップ１００１、ステップ１００２は、上述した図２のステップ２０１、２０２と同様であり、ステップ１００３で、水平座標検出手段３１の検出結果よりステージ１８が原点位置Ｓから外れている場合、観察状態判別部８は、標本観察状態であると判別し、ランプ光源の電圧制御は行わずに通常動作となる（ステップ１００４）。
【００７１】
一方、ステージ１８上の標本６の交換などで、ステージ１８が原点位置Ｓに移動しているのを水平座標検出手段３１が検出すると、観察状態判別部８は、標本観察状態でないと判断する。
【００７２】
この状態で、ある一定時間Ｔ１の時間のカウントを行う（ステップ１００５）。この間にステージ１８が原点位置Ｓにあるかを判断し(ステップ１００６)、ステージ１８が原点位置Ｓから移動して、観察状態判別部８が標本観察状態を判断した場合は、ステップ１００２に戻って、上述したと同様な動作を繰り返す。一方、ステージ１８が原点位置Ｓから移動しないままの場合は、ハンドスイッチ２により入力指示があったかを判断し(ステップ１００７)、入力指示があった場合は、その指示に対応した動作を実行した後、再びステップ１００５に戻って、始めから一定時間Ｔ１のカウントを行う。
【００７３】
このような動作を一定時間Ｔ１が経過するまで行い(ステップ１００８)、この間にステージ１８が原点位置Ｓから移動しない場合やハンドスイッチ２からの入力指示がない場合は、上述した図２のステップ２０９、２１０、２１１と同様なステップ１００９、１０１０、１０１１の動作を実行し、現在のランプ光源の電圧値Ｖｇ（＝９Ｖ）を記録するとともに、このランプ光源の電圧を所定電圧Ｖｍ（＝１Ｖ）まで下げた後、パワーフラグ＝０とする。
【００７４】
この後は、ステップ１００２を介してステップ１０１２に進み、ステージ１８が原点位置Ｓにあるかを判断する。ここで、ステージ１８が原点位置Ｓから移動しないままの場合は、再度ハンドスイッチ２による入力指示があったかを判断する(ステップ１０１３)。
【００７５】
この状態で、ステージ１８が原点位置Ｓから移動された場合は、ステップ１０１４に進み、また、ハンドスイッチ２による入力指示があった場合は、その指示に対応した動作を実行した後に、ステップ１０１４以降に進む。このステップ１０１４以降のステップ１０１５、１０１６の動作は、上述した図２のステップ２１４、２１５、２１６と同様に、先に記録した電圧値Ｖｇ（＝９Ｖ）を読み出し、ランプ光源の電圧をＶｍ（＝１Ｖ）からＶｇ（＝９Ｖ）に変更するとともに、パワーフラグ＝１とする。
【００７６】
従って、このようにすれば、標本６の交換等でステージ１８を原点位置Ｓに復帰させてから一定時間を越えるまでにステージ１８を原点位置Ｓから移動するか、ハンドスイッチ２による顕微鏡操作が行われないと、自動的にランプ光源の電圧が低下され、この一定時間までに、ステージ１８が原点位置Ｓから移動され、またはハンドスイッチ２による顕微鏡操作が行われると、ランプ光源の電圧を下げる直前の電圧に自動的に戻るようになるので、上述したと同様な効果を期待することができる。
【００７７】
上述した実施の形態では、標本観察状態でないと判断されるステージ１８の原点位置Ｓは、固定値としているが、一定の座標範囲であってもよい。
【００７８】
(第５の実施の形態)
次に、本発明の第５の実施の形態について説明する。
【００７９】
図１１は、第５の実施の形態の概略構成を示すもので、図１と同一部分には、同符号を付している。
【００８０】
この場合、顕微鏡本体１は、観察光路を分岐するビームスプリッタ２１の撮影光路側に標本６の合焦状態を検出する合焦検出手段としての合焦検出部３２が配置されている。この合焦検出部３２は、対物レンズ１９を通して投影される標本像のコントラストより標本６の合焦を行うもので、一般的にパッシブＡＦと呼ばれる方式のものが用いられている。そして、この合焦検出部３２の合焦情報が状態判別手段８に出力されるようになっている。
【００８１】
この場合、合焦検出部３２で合焦状態を検出していないと、標本観察が行われることがなく、合焦検出部３２で合焦状態が検出された時点から、標本観察が行われるようになるので、観察状態判別部８は、合焦状態で標本観察状態を判別し、それ以外を標本観察状態ではないと判別するようになっている。
【００８２】
次に、このように構成された実施の形態の動作を図１２に示すフローチャートにより説明する。
【００８３】
この場合も、ステップ１２０１、ステップ１２０２は、上述した図２のステップ２０１、２０２と同様であり、ステップ１２０３で、合焦検出部３２での検出結果より合焦状態が得られる場合、観察状態判別部８は、標本観察状態であると判別し、ランプ光源の電圧制御は行わずに通常動作となる（ステップ１２０４）。
【００８４】
一方、合焦検出部３２で合焦状態が得られないと、観察状態判別部８は、標本観察状態でないと判断する。
【００８５】
この状態で、ある一定時間Ｔ１の時間のカウントを行う（ステップ１２０５）。この間に合焦検出部３２で合焦状態が得られるかを判断し(ステップ１２０６)、合焦状態が得られ観察状態判別部８が標本観察状態を判断した場合は、ステップ１２０２に戻って、上述したと同様な動作を繰り返す。一方、合焦検出部３２で合焦状態を得られないままの場合は、ハンドスイッチ２により入力指示があったかを判断し(ステップ１２０７)、入力指示があった場合は、その指示に対応した動作を実行した後、再びステップ１２０５に戻って、始めから一定時間Ｔ１のカウントを行う。
【００８６】
このような動作を一定時間Ｔ１が経過するまで行い(ステップ１２０８)、この間に合焦検出部３２で合焦状態が得られない場合やハンドスイッチ２からの入力指示がない場合は、上述した図２のステップ２０９、２１０、２１１と同様なステップ１２０９、１２１０、１２１１の動作を実行し、現在のランプ光源の電圧値Ｖｇ（＝９Ｖ）を記録するとともに、このランプ光源の電圧を所定電圧Ｖｍ（＝１Ｖ）まで下げた後、パワーフラグ＝０とする。
【００８７】
この後は、ステップ１２０２を介してステップ１２１２に進み、合焦検出部３２で合焦状態が得られるかを判断する。ここで、ステージ１８が原点位置Ｓから移動しないままの場合は、再度ハンドスイッチ２による入力指示があったかを判断する(ステップ１２１３)。
【００８８】
この状態で、合焦検出部３２で合焦状態が得られた場合は、ステップ１２１４に進み、また、ハンドスイッチ２による入力指示があった場合は、その指示に対応した動作を実行した後に、ステップ１２１４以降に進む。このステップ１２１４以降のステップ１２１５、１２１６の動作は、上述した図２のステップ２１４、２１５、２１６と同様に、先に記録した電圧値Ｖｇ（＝９Ｖ）を読み出し、ランプ光源の電圧をＶｍ（＝１Ｖ）からＶｇ（＝９Ｖ）に変更するとともに、パワーフラグ＝１とする。
【００８９】
従って、このようにすれば、標本６の合焦でない状態になってから一定時間を越えるまでに、標本観察可能な合焦状態に戻すか、ハンドスイッチ２による顕微鏡操作が行われないと、自動的にランプ光源の電圧が低下され、この一定時間までに、標本観察可能な合焦状態に戻され、またはハンドスイッチ２による顕微鏡操作が行われると、ランプ光源の電圧を下げる直前の電圧に自動的に戻るようになるので、上述したと同様な効果を期待することができる。
【００９０】
なお、上述した実施の形態では、合焦検出部３２にパッシブＡＦ方式のものを用いたが、その他の方式の合焦手段であってもよい。
【００９１】
(第６の実施の形態)
次に、本発明の第６の実施の形態について説明する。
【００９２】
図１３は、第６の実施の形態の概略構成を示すもので、図１と同一部分には、同符号を付している。
【００９３】
この場合、顕微鏡コントロール部７は、駆動回路部２７でのモータの励磁電流をコントロール可能にした機能を有している。またハンドスイッチ２には、復帰スイッチ３３が設けられている。この復帰スイッチ３３は、ランプ光源の電圧を一旦下げた状態から、元の状態に戻すためのものである。また、復帰スイッチ３３には、ＬＥＤが内蔵されており、観察状態判別部８の判別結果に応じてＬＥＤを点灯または消灯するようになっている。
【００９４】
次に、このように構成された実施の形態の動作を図１４に示すフローチャートにより説明する。
【００９５】
まず、パワーフラグを１に設定するとともに、復帰スイッチ３３のＬＥＤを消灯する(ステップ１４０１)。
【００９６】
この状態で、いま、ステージ１８に標本６が固定されている場合は、標本有無センサ５は、電気信号“Ｌ"を出力する。これにより、観察状態判別部８は、ステージ１８上に標本６が有ると判別するので（ステップ１４０２、１４０３）、標本観察状態であると判別し、ランプ光源の電圧制御は行わずに通常動作となる（ステップ１４０４）。
【００９７】
一方、ステージ１８から標本６が外されている場合は、標本有無センサ５は、電気信号“Ｈ”を出力する。これにより、観察状態判別部８は、ステージ１８上に標本６が無いと判断するので（ステップ１４０２、１４０３）、標本観察状態でないと判別する。
【００９８】
この状態で、ある一定時間Ｔ１の時間のカウントを行う（ステップ１４０５）。この間にステージ１８上に標本６がセットされたか判断し(ステップ１４０６)、ステージ１８上に標本６がセットされた場合は、ステップ１４０２に戻って、上述したと同様な動作を繰り返す。一方、ステージ１８上に標本６がセットされないままの場合は、ハンドスイッチ２により入力指示があったかを判断し(ステップ１４０７)、入力指示があった場合は、その指示に対応した動作を実行した後、再びステップ２０５に戻って、始めから一定時間Ｔ１のカウントを行う。
【００９９】
このような動作を一定時間Ｔ１が経過するまで行い(ステップ１４０８)、この間にステージ１８上への標本６のセットやハンドスイッチ２からの入力指示がない場合は、観察状態判別部８は、顕微鏡コントロール部７より現在のランプ光源の電圧の情報を入手し、この電圧の値を記録する（ステップ１４０９）。ここで、現在のランプ光源の電圧をＶｇとすると、この電圧値Ｖｇが記録される。具体的には、現在のランプ光源の電圧値Ｖｇが９Ｖであったとすると、この電圧値Ｖｇ（＝９Ｖ）が記録される。
【０１００】
次に、観察状態判別部８は、顕微鏡コントロール部７にランプ光源の電圧をＶｍに下げる指示を与える(ステップ１４１０)。この電圧値Ｖｍは、標本観察状態でないときに設定するランプ光源の電圧の値であり、本実施の形態では、Ｖｍを１Ｖの固定値としている。これにより顕微鏡コントロール部７は、ランプ光源の電圧を１Ｖに下げる制御を行う。
【０１０１】
続いて、観察状態判別部８は、駆動回路部２７の各モータの停止状態での励磁電流を５０％に下げる旨の指示とともに、ハンドスイッチ２の各スイッチ３のＬＥＤ表示を消灯させる指示を発する。
【０１０２】
これを受けて、顕微鏡コントロール部７は、さらにモータの励磁電流を５０％に制御するとともに、ハンドスイッチ２の各スイッチ３のＬＥＤ表示を消灯する(ステップ１４１１)。
【０１０３】
その後、ステップ１４１２に進み、スタンバイモードとなって、そのフラグであるパワーフラグを０にするとともに、復帰スイッチ３３のＬＥＤを点灯する。
【０１０４】
この後は、ステップ１４０２を介してステップ１４１３に進み、標本６がステージ１８上にセットされたか判断する。ここで、標本６がステージ１８上にセットされない場合は、復帰スイッチ３３が押し操作されたかを判断する(ステップ１４１４)。
【０１０５】
この状態から、標本６がステージ１８上にセットされた場合は、ステップ１４１５に進む。また、復帰スイッチ３３が押し操作された場合は、ステップ１４１５に進む。
【０１０６】
すると、観察状態判別部８は、先に記録した電圧値Ｖｇ（＝９Ｖ）の値を読み出し、顕微鏡コントロール部７に対して、ランプ光源の電圧をＶｍ（＝１Ｖ）に下げる前の電圧値Ｖｇ（＝９Ｖ）に変更するような指示を与える(ステップ１４１６)。これを受けて顕微鏡コントロール部７は、ランプ光源の電圧がＶｇ（＝９Ｖ）になるような制御を行う。また、各モータの停止状態での励磁電流をもとの値に戻す指示を与え、同時に、消灯させておいたハンドスイッチ２の各スイッチ３のＬＥＤを点灯する(ステップ１４１７)。
【０１０７】
そして、スタンバイモードを解除し、そのフラグであるパワーフラグを１にするとともに、復帰スイッチ３３のＬＥＤも消灯する(ステップ１４１８)。
【０１０８】
従って、このようにすれば、ステージ１８上から標本６を外してから一定時間を越えるまでに標本６がセットされるか、ハンドスイッチ２による顕微鏡操作が行われないと、自動的にランプ光源の電圧およびモータの停止状態での励磁電流が下げられるとともに、状態表示等のＬＥＤも消灯され、この一定時間までに標本６がセットされ、または復帰スイッチ３３が操作されると、ランプ光源の電圧を下げる直前の電圧に自動的に戻るようになるので、上述したと同様な効果を期待することができる。
【０１０９】
なお、上述した各実施の形態では、一貫して顕微鏡装置について述べたが、標本観察状態でないことを判断して、システム全体の消費電力を押さえ、ランプの寿命を延ばすという考えからすると、顕微鏡装置のみに限らず、このような顕微鏡装置を組み込んだライン装置などの各種システムに適応することも可能である。
【０１１０】
その他、本発明は、上記実施の形態に限定されるものでなく、実施段階では、その要旨を変更しない範囲で種々変形することが可能である。
【０１１１】
さらに、上記実施の形態には、種々の段階の発明が含まれており、開示されている複数の構成要件における適宜な組み合わせにより種々の発明が抽出できる。
例えば、実施の形態に示されている全構成要件から幾つかの構成要件が削除されても、発明が解決しようとする課題の欄で述べた課題を解決でき、発明の効果の欄で述べられている効果が得られる場合には、この構成要件が削除された構成が発明として抽出できる。
【０１１２】
なお、上述した実施の形態には、以下の発明も含まれる。
【０１１３】
（１）  請求項１記載の顕微鏡装置において、
前記各種光学部材の駆動指示を入力する入力指示手段をさらに有し、
一定時間、前記入力指示手段からの駆動指示がなく、前記観察状態判別手段による前記標本の観察状態でないとの判別を条件に前記ランプ光源の電圧を制御することを特徴とする顕微鏡装置。
【０１１４】
（２）請求項１記載の顕微鏡装置において、
前記標本の有無を検出する標本検出手段をさらに有し、
前記観察状態判別手段は前記標本検出手段の結果より前記顕微鏡装置が標本観察状態であるかを判別することを特徴としている。
【０１１５】
（３）請求項１記載の顕微鏡装置において、
前記各種光学部材のうち前記ランプ光源からの光束を遮断可能にするシャッタの動作状態を検出する動作状態検出手段をさらに有し、
前記観察状態判別手段は、前記状態検出手段により検出される前記シャッタの前記光束を遮断している状態を標本観察状態でないと判別することを特徴としている。
【０１１６】
（４）請求項１記載の顕微鏡装置において、
前記標本の合焦状態を検出する合焦検出手段をさらに有し、
前記観察状態判別手段は、前記合焦検出手段の結果より前記顕微鏡装置が標本観察状態であるかを判別することを特徴としている。
【０１１７】
（５）請求項１記載の顕微鏡装置において、
前記各種光学部材を駆動する駆動源をさらに有し、
前記観察状態判別手段の判別結果により前記ランプ光源の電圧を制御するとともに、前記駆動源の停止状態での励磁を制御することを特徴としている。
【０１１８】
【発明の効果】
以上述べたように本発明によれば、消費電力の低減と、光源ランプの長寿命化を図ることができる顕微鏡装置を提供できる。
【図面の簡単な説明】
【図１】本発明の第１の実施の形態の概略構成を示す図。
【図２】第１の実施の形態の動作を説明するためのフローチャート。
【図３】本発明の第２の実施の形態の概略構成を示す図。
【図４】第２の実施の形態のステージの光軸方向のＺ軸座標の位置関係を説明する図。
【図５】第２の実施の形態の動作を説明するためのフローチャート。
【図６】本発明の第３の実施の形態の概略構成を示す図。
【図７】第３の実施の形態の動作を説明するためのフローチャート。
【図８】本発明の第４の実施の形態の概略構成を示す図。
【図９】第４の実施の形態のステージの水平方向の位置座標を説明する図。
【図１０】第４の実施の形態の動作を説明するためのフローチャート。
【図１１】本発明の第５の実施の形態の概略構成を示す図。
【図１２】第５の実施の形態の動作を説明するためのフローチャート。
【図１３】本発明の第６の実施の形態の概略構成を示す図。
【図１４】第６の実施の形態の動作を説明するためのフローチャート。
【符号の説明】
１…顕微鏡本体
２…ハンドスイッチ
３…スイッチ
４…ＪＯＧダイヤルスイッチ
５…標本有無センサ
６…標本
７…顕微鏡コントロール部
８…観察状態判別部
８１…動作状態検出手段
１１…透過照明用光源
１２…コレクタレンズ
１３…透過用フィルタユニット
１４…透過視野絞り
１４１…反射ミラー
１５…透過開口絞り
１６…コンデンサ光学素子ユニット
１６ａ〜１６ｃ…コンデンサ光学素子ユニット
１７…コンデンサトップレンズユニット
１７ａ．１７ｂ…コンデンサトップレンズユニット
１８…ステージ
１９…対物レンズ
１９ａ．１９ｂ…対物レンズ
１９１…レボルバ
２０…キューブユニット
２０ａ〜２０ｃ…ダイクロイックミラー
２１…ビームスプリッタ
２２…落射照明用光源
２３…落射用フィルタユニット
２４…落射シャッタ
２５…落射視野絞り
２６…落射開口絞り
２７…駆動回路部
２８…Ｚ軸座標検出部
３１…水平座標検出手段
３２…合焦検出部
３３…復帰スイッチ
【図１】
0004828738.tif 000002
【図２】
0004828738.tif 000003
【図３】
0004828738.tif 000004
【図４】
0004828738.tif 000005
【図５】
0004828738.tif 000006
【図６】
0004828738.tif 000007
【図７】
0004828738.tif 000008
【図８】
0004828738.tif 000009
【図９】
0004828738.tif 000010
【図１０】
0004828738.tif 000011
【図１１】
0004828738.tif 000012
【図１２】
0004828738.tif 000013
【図１３】
0004828738.tif 000014
【図１４】
0004828738.tif 000015